(57)【要約】【課題】他のコンピュータによってダウンロードされたコンテンツデータの削除を容易にする。【解決手段】コンピュータネットワーク１００〜５００上に暗号化して公開したコンテンツデータのコンテンツ復号化キーと該コンテンツデータの削除要求を認証サーバ５００に登録しておき、ダウンロード側コンピュータ２００が公開側コンピュータ１００から受信したコンテンツデータの復号または削除は、認証サーバからコンテンツ復号化キーを取得して行うように構成し、認証サーバにコンテンツ復号化キーを要求したときに削除要求が送信されたときには復号しようとするコンテンツデータを削除する。【選択図】図１
2007025927.tif 000002
【特許請求の範囲】
【請求項１】
それぞれがコンテンツ記憶部を備えた複数のコンピュータと認証サーバをネットワークを介して接続し、前記各コンピュータが保持する公開可能なコンテンツデータのコンテンツＩＤを前記認証サーバに登録して前記複数のコンピュータ間で送受信を可能にしたコンピュータネットワークシステムにおいて、
前記各コンピュータは、暗号化したコンテンツデータにコンテンツＩＤを付して他のコンピュータに送信可能な公開状態に前記コンテンツ記憶部に記憶して保持すると共に該コンテンツデータのコンテンツＩＤとコンテンツ復号化キーを前記認証サーバに送信し、公開を終了したいコンテンツデータに対する削除要求を前記認証サーバに送信し、他のコンピュータから受信したコンテンツデータの復号はコンテンツ復号化キーを前記認証サーバに要求して該認証サーバから取得して行うと共に当該コンテンツデータに対して削除要求が登録されていることを前記認証サーバから受信したときには該コンテンツデータをコンテンツ記憶部から削除するように構成し、
前記認証サーバは、各コンピュータから受信した公開可能なコンテンツデータのコンテンツＩＤと該コンテンツデータに対する削除要求の有無を登録して保持し、各コンピュータからコンテンツデータのコンテンツ復号化キーの要求を受信したときには該コンテンツデータに対する削除要求の登録の有無を確認し、削除要求が登録されていないときにはコンテンツ復号化キーを返信し、削除要求が登録されているときには削除要求を返信するように構成したことを特徴するコンピュータネットワークシステム。
【請求項２】
ネットワークを介して他のコンピュータと認証サーバに接続し、公開可能なコンテンツデータのコンテンツＩＤを前記認証サーバに登録して複数のコンピュータ間で送受信を可能にしたコンピュータにおいて、
暗号化したコンテンツデータにコンテンツＩＤを付して他のコンピュータに送信可能な公開状態に前記コンテンツ記憶部に記憶して保持すると共に該コンテンツデータのコンテンツＩＤとコンテンツ復号化キーを前記認証サーバに送信し、公開を終了したいコンテンツデータに対する削除要求を前記認証サーバに送信し、他のコンピュータから受信したコンテンツデータの復号はコンテンツ復号化キーを前記認証サーバに要求して該認証サーバから取得して行うと共に当該コンテンツデータに対して削除要求が登録されていることを前記認証サーバから受信したときには該コンテンツデータをコンテンツ記憶部から削除するように構成したことを特徴とするコンピュータ。
【請求項３】
それぞれがコンテンツ記憶部を備えた複数のコンピュータとネットワークを介して接続し、前記各コンピュータが保持する公開可能なコンテンツデータのコンテンツＩＤを登録して前記複数のコンピュータ間で送受信を可能にする認証サーバにおいて、
ネットワーク接続された各コンピュータから受信した公開可能なコンテンツデータのコンテンツＩＤと該コンテンツデータに対する削除要求の有無を登録して保持し、各コンピュータからコンテンツデータのコンテンツ復号化キーの要求を受信したときには該コンテンツデータに対する削除要求の登録の有無を確認し、削除要求が登録されていないときにはコンテンツ復号化キーを返信し、削除要求が登録されているときには削除要求を返信するように構成したことを特徴する認証サーバ。
【発明の詳細な説明】
【技術分野】
【０００１】
本発明は、コンテンツデータをネットワークを介して送受信するコンピュータネットワークシステム並びにそれに使用するコンピュータ及び認証サーバに関する。
【背景技術】
【０００２】
ネットワークを介して接続された複数のコンピュータによってコンテンツデータを送受信するコンピュータネットワークシステムが提案されている（例えば、特許文献１参照）。
このようなコンピュータネットワークシステムにおいては、１つのコンピュータで作成して公開（コンテンツ提供、アップロード）したコンテンツデータを他の複数のコンピュータで受信（ダウンロード）して利用することができる。
【０００３】
【特許文献１】特開２００２−３１２３２７号公報
【発明の開示】
【発明が解決しようとする課題】
【０００４】
しかしながら、従来のコンピュータネットワークシステムにおいては、一旦公開したコンテンツデータは、他のコンピュータにダウンロードして分散保持されてしまうと、公開を終了（コンテンツデータをコンピュータネットワーク上から削除、消去）することが容易にはできなかった。
【０００５】
本発明の目的は、コンピュータネットワークシステム上に公開して分散したコンテンツデータの公開終了（公開したコンテンツデータをコンピュータネットワーク上から削除）することを容易にすることにある。
【課題を解決するための手段】
【０００６】
本発明のコンピュータネットワークシステムは、それぞれがコンテンツ記憶部を備えた複数のコンピュータと認証サーバをネットワークを介して接続し、前記各コンピュータが保持する公開可能なコンテンツデータのコンテンツＩＤを前記認証サーバに登録して前記複数のコンピュータ間で送受信を可能にしたコンピュータネットワークシステムにおいて、
前記各コンピュータは、暗号化したコンテンツデータにコンテンツＩＤを付して他のコンピュータに送信可能な公開状態に前記コンテンツ記憶部に記憶して保持すると共に該コンテンツデータのコンテンツＩＤとコンテンツ復号化キーを前記認証サーバに送信し、公開を終了したいコンテンツデータに対する削除要求を前記認証サーバに送信し、他のコンピュータから受信したコンテンツデータの復号はコンテンツ復号化キーを前記認証サーバに要求して該認証サーバから取得して行うと共に当該コンテンツに対して削除要求が登録されていることを前記認証サーバから受信したときには該コンテンツデータをコンテンツ記憶部から削除するように構成し、
前記認証サーバは、各コンピュータから受信した公開可能なコンテンツデータのコンテンツＩＤと該コンテンツデータに対する削除要求の有無を登録して保持し、各コンピュータからコンテンツデータのコンテンツ復号化キーの要求を受信したときには該コンテンツデータに対する削除要求の登録の有無を確認し、削除要求が登録されていないときにはコンテンツ復号化キーを返信し、削除要求が登録されているときには削除要求を返信するように構成したことを特徴する。
【０００７】
また、本発明のコンピュータは、ネットワークを介して他のコンピュータと認証サーバに接続し、公開可能なコンテンツデータのコンテンツＩＤを前記認証サーバに登録して複数のコンピュータ間で送受信を可能にしたコンピュータにおいて、
暗号化したコンテンツデータにコンテンツＩＤを付して他のコンピュータに送信可能な公開状態に前記コンテンツ記憶部に記憶して保持すると共に該コンテンツデータのコンテンツＩＤとコンテンツ復号化キーを前記認証サーバに送信し、公開を終了したいコンテンツデータに対する削除要求を前記認証サーバに送信し、他のコンピュータから受信したコンテンツデータの復号はコンテンツ復号化キーを前記認証サーバに要求して該認証サーバから取得して行うと共に当該コンテンツデータに対して削除要求が登録されていることを前記認証サーバから受信したときには該コンテンツデータをコンテンツ記憶部から削除するように構成したことを特徴とする。
【０００８】
また、本発明の認証サーバは、それぞれがコンテンツ記憶部を備えた複数のコンピュータとネットワークを介して接続し、前記各コンピュータが保持する公開可能なコンテンツデータのコンテンツＩＤを登録して前記複数のコンピュータ間で送受信を可能にする認証サーバにおいて、
ネットワーク接続された各コンピュータから受信した公開可能なコンテンツデータのコンテンツＩＤと該コンテンツデータに対する削除要求の有無を登録して保持し、各コンピュータからコンテンツデータのコンテンツ復号化キーの要求を受信したときには該コンテンツデータに対する削除要求の登録の有無を確認し、削除要求が登録されていないときにはコンテンツ復号化キーを返信し、削除要求が登録されているときには削除要求を返信するように構成したことを特徴する。
【発明の効果】
【０００９】
本発明は、公開するコンテンツデータを暗号化してコンテンツ記憶部に保持し、この暗号化して公開したコンテンツデータのコンテンツ復号化キーとコンテンツデータの削除要求を認証サーバに登録して保持させ、他のコンピュータが受信（ダウンロード）して保持したコンテンツデータのコンテンツ復号化キーの要求があったときには該コンテンツデータに対して削除要求が登録されているときにはコンテンツ復号化キーを返信せずに削除要求を返信するようにして他のコンピュータが保持しているコンテンツデータを削除するように構成しているので、削除要求を登録した後は、他のコンピュータが受信して保持している暗号化されたコンテンツデータを復号不可にすると共に容易に削除、消去することができる。
【発明を実施するための最良の形態】
【００１０】
本発明のコンピュータネットワークシステムは、  それぞれがコンテンツ記憶部を備えた複数のコンピュータと認証サーバをネットワークを介して接続し、前記各コンピュータが保持する公開可能なコンテンツデータのコンテンツＩＤを前記認証サーバに登録して前記複数のコンピュータ間で送受信を可能に構成し、
前記各コンピュータは、暗号化したコンテンツデータにコンテンツＩＤを付して他のコンピュータに送信可能な公開状態に前記コンテンツ記憶部に記憶して保持すると共に該コンテンツデータのコンテンツＩＤとコンテンツ復号化キーを前記認証サーバに送信し、公開を終了したいコンテンツデータに対する削除要求を前記認証サーバに送信し、他のコンピュータから受信したコンテンツデータの復号はコンテンツ復号化キーを前記認証サーバに要求して該認証サーバから取得して行うと共に当該コンテンツデータに対して削除要求が登録されていることを前記認証サーバから受信したときには該コンテンツデータをコンテンツ記憶部から削除するように構成し、
前記認証サーバは、各コンピュータから受信した公開可能なコンテンツデータのコンテンツＩＤと該コンテンツデータに対する削除要求の有無を登録して保持し、各コンピュータからコンテンツデータのコンテンツ復号化キーの要求を受信したときには該コンテンツデータに対する削除要求の登録の有無を確認し、削除要求が登録されていないときにはコンテンツ復号化キーを返信し、削除要求が登録されているときには削除要求を返信するように構成する。
【実施例１】
【００１１】
図１は、本発明の実施例１であるコンピュータネットワークシステムの全体構成を示すブロック図である。コンテンツ公開側のパーソナルコンピュータ（以下、ＰＣという。）１００と、コンテンツダウンロード側ＰＣ２００と、コンテンツダウンロード側ＰＣ３００と、これらの複数のＰＣ間でのコンテンツを認証するための認証サーバ４００は、通信ネットワーク５００を介して接続する。
【００１２】
ＰＣ１００は、各種の情報処理プログラムを内蔵して該プログラムを実行する中央演算装置（ＣＰＵ）１１０と、各種データを読み書き（保持）する外部記憶装置(ＨＤＤ)１２０と、表示装置（ＬＣＤ）１３０と、入力装置（キーボード，ポインティングデバイス）１４０を備え、前記外部記憶装置１２０は、各々のＰＣ間でのデータ送受信に必要な接続先情報を記憶する接続先情報記憶領域１２１と、作成して公開するコンテンツデータを保持すると共にダウンロードしたコンテンツデータを保持するためのコンテンツ記憶部１２２を備え、このコンテンツ記憶部１２２は、著作者ＩＤ毎に仕切られた著作者領域１２２ａ，１２２ｂを備える。著作者領域１２２ａは、自作の公開コンテンツを保持する領域であり、自作（当該著作者ＩＤ）のコンテンツＩＤ毎にコンテンツデータを保持するように区画した自作コンテンツ記憶領域１２２ａ１を備える。著作者領域１２２ｂは、他のＰＣ２００，３００から受信したコンテンツデータを保持する領域であり、著作者ＩＤ毎のコンテンツＩＤ毎にコンテンツデータを保持するように区画した受信コンテンツ記憶領域１２２ｂ１を備える。
【００１３】
他のＰＣ２００，３００もＰＣ１００と同様に構成する。
【００１４】
認証サーバ４００は、各種の情報処理プログラムを内蔵して該プログラムを実行する中央演算装置（ＣＰＵ）４１０と、各種データを読み書き（保持）する外部記憶装置(ＨＤＤ)４２０と、表示装置（ＬＣＤ）４３０と、入力装置（キーボード，ポインティングデバイス）４４０を備える。前記外部記憶装置４２０は、各々の著作者に割り振った著作者ＩＤを記憶する著作者ＩＤ一覧情報記憶領域４２１と、著作者毎に用意した各著作者に関連するデータを記憶する著作者データ記憶領域４２２（４２２ａ，４２２ｂ）と、接続先ノード一覧記憶領域４２３を備える。
【００１５】
各ＰＣ１００〜３００および認証サーバ４００は、更に、ネットワーク接続部（図示省略）を備え、各ＰＣ１００〜３００のＣＰＵ１１０および認証サーバ４００のＣＰＵ４１０は、以下に述べる情報処理プログラムを内蔵して実行する。
【００１６】
図２は、著作者がＰＣ１００で編集（作成）したコンテンツ情報を認証サーバ４００へ登録（公開）するときにＰＣ（公開側ＰＣ）１００のＣＰＵ１１０と認証サーバ４００のＣＰＵ４１０が実行する情報処理プログラムのフローチャートである。コンテンツデータの編集処理は、周知の情報処理プログラムを使用して実行することができるので図示説明は省略する。また、各処理におけるＬＣＤ（液晶ディスプレイ）から成る表示装置１３０への入出力画面の表示は、通常の処理で実現するので、具体的な図示説明を省略する。
【００１７】
ステップＳ１００１
公開側ＰＣ１００は、操作者（著作者）により操作される入力装置１４０からの指示入力に基づいて著作者ＩＤを取得する処理を実行する。この処理では、著作者ＩＤを取得するために入力された著作者名を認証サーバ４００に送信し、認証サーバ４００から送信される著作者ＩＤを受信する。
【００１８】
ステップＳ４００１
認証サーバ４００は、著作者ＩＤを生成するための著作者名をＰＣ１００から受信すると、著作者ＩＤを生成する。この著作者ＩＤは、重複しないユニークな値とする。そして、生成した著作者ＩＤをＰＣ１００に送信し、一覧情報記憶領域４２１に登録し、該著作者用の関連情報を保持するための著作者データ記憶領域４２２ａを確保して登録する。
【００１９】
ステップＳ１００２
ＰＣ１００は、著作者により操作される入力装置１４０からの指示に基づいて、公開するコンテンツデータのコンテンツＩＤを生成する。このコンテンツＩＤは、ハッシュ値を使用して複数のコンテンツ間で重複しないように生成する。
【００２０】
ステップＳ１００３
ＰＣ１００は、公開するコンテンツデータに対して暗号化処理を施し、コンテンツＩＤと対にして著作者領域１２２ａの自作コンテンツ記憶領域１２２ａ１に保持する。
【００２１】
ステップＳ１００４
ＰＣ１００は、著作者により操作される入力装置１４０からの指示に基づいて、公開するコンテンツデータのコンテンツＩＤを登録（公開）する。このコンテンツＩＤの登録は、ステップＳ１００２で生成したコンテンツＩＤを認証サーバ４００へ送信することによって実現する。
【００２２】
ステップＳ４００２
認証サーバ４００は、ＰＣ１００から送信されたコンテンツＩＤを受信し、受信したコンテンツＩＤを該当著作者領域４２２ａに登録する。
【００２３】
ステップＳ１００４
ＰＣ１００は、ステップＳ１００３で暗号化したコンテンツデータを復号するためのコンテンツ復号化キーを登録するために認証サーバ４００に送信する。
【００２４】
ステップＳ４００３
認証サーバ４００は、ＰＣ１００から受信したコンテンツ復号化キーをコンテンツＩＤに関連付けて著作者データ記憶領域４２２ａに登録する。
【００２５】
図３は、コンテンツ利用者がＰＣ（ダウンロード側ＰＣ）２００を操作して他のＰＣ１００（公開側ＰＣ），３００（他のダウンロード側ＰＣ）が保持している目的（希望する）のコンテンツデータをダウンロードするために検索する情報処理プログラムのフローチャートである。
【００２６】
ステップＳ２０１１
ダウンロード側ＰＣ２００は、操作者（コンテンツ利用者）により操作される入力装置２４０からの指示入力に基づいてダウンロードを希望するコンテンツデータを検索するためのコンテンツ検索用キーワード（コンテンツ名またはキーワード）を設定する。
【００２７】
ステップＳ２０１２
ＰＣ２００と通信状態にある他のＰＣ１００およびＰＣ３００に対して、コンテンツ検索用キーワードを送信する。
【００２８】
ステップＳ１０１１
公開側ＰＣ１００は、コンテンツ検索用キーワードを受信すると、コンテンツ記憶部１２２の自作コンテンツ記憶領域１２２ａ１に保持しているコンテンツデータから該当するものを検索する。公開側ＰＣ１００は、コンテンツ記憶部１２２の自作コンテンツ記憶領域１２２ａ１に該当するコンテンツデータを保持しているものとする。
【００２９】
ステップＳ１０１２
公開側ＰＣ１００は、該当するコンテンツデータを公開コンテンツデータとして自作コンテンツ記憶領域１２２ａ１に保持していることをダウンロード側ＰＣ２００に応答（返信）する。
【００３０】
ステップＳ３０１１
他のダウンロード側ＰＣ３００は、コンテンツ検索用キーワードを受信すると、コンテンツ記憶部３２２に自作コンテンツ記憶領域３２２ａ１に保持しているコンテンツデータから該当するものを検索する。このＰＣ１００は、コンテンツ記憶部３２２の自作コンテンツ記憶領域２２２ａ１には該当するコンテンツデータを保持していないものとする。
【００３１】
ステップＳ３０１２
コンテンツ記憶部３２２の受信コンテンツデータを保持する領域である受信コンテンツ記憶領域３２２ｂ１から該当するものを検索する。このＰＣ１００は、該当するコンテンツデータを受信コンテンツ記憶領域３２２ｂ１に保持しているものとする。
【００３２】
ステップＳ３０１３
他のＰＣ３００は、該当するコンテンツデータをコンテンツ記憶部３２２に受信コンテンツ記憶領域３２２ｂ１に保持していることをダウンロード側ＰＣ２００に応答（返信）する。
【００３３】
ステップＳ２０１３
ダウンロード側ＰＣ２００は、他のＰＣ１００，ＰＣ３００から返信された検索結果を受信する。
【００３４】
ステップＳ２０１４
受信した検索結果に基づいて検索コンテンツ一覧を生成する。
【００３５】
図４は、ダウンロード側ＰＣ２００が検索コンテンツ一覧に基づいて該当コンテンツデータをダウンロードする情報処理プログラムのフローチャートである。
【００３６】
ステップＳ２０２１
ダウンロード側ＰＣ２００は、操作者（コンテンツ利用者）により操作される入力装置２４０からの指示入力に基づいて、検索コンテンツ一覧からダウンロード先のコンテンツデータを選択する。ここでは、公開側ＰＣ１００が保持している該当コンテンツをダウンロードするものとする。
【００３７】
ステップＳ２０２２
入力装置２４０からの指示入力に基づいて、コンテンツデータのダウンロードを開始することをＰＣ１００へ要求する。
【００３８】
ステップＳ１０２１
公開側ＰＣ１００は、コンテンツダウンロード開始要求を受信すると、自作コンテンツ記憶領域１２２ａ１に保持している該当コンテンツデータをダウンロード側ＰＣ２００へ送信する。
【００３９】
ステップＳ２０２３
ダウンロード側ＰＣ２００は、公開側ＰＣ１００から送信されるコンテンツデータを受信してコンテンツ記憶部２２２の受信コンテンツ記憶領域２２２ｂ１に保持する。
【００４０】
ステップＳ２０２４
受信して保持したコンテンツデータが改竄されていないかどうかをチェックする。
【００４１】
図５は、公開したコンテンツデータを削除（公開を終了）する情報処理プログラムのフローチャートである。
【００４２】
ステップＳ１０３１
公開側ＰＣ１００は、操作者（著作者）により操作される入力装置１４０からの指示入力に基づいてコンテンツデータ削除のための著作者ＩＤを認証サーバ４００へ送信する。
【００４３】
ステップＳ４０３１
認証サーバ４００は、コンテンツデータ削除のための著作者ＩＤをＰＣ１００から受信すると、受信した著作者ＩＤに基づいて著作者を確認する。
【００４４】
ステップＳ４０３２
認証サーバ４００の外部記憶装置４２０に登録されている該当著作者の著作者データ記憶領域４２２ａのコンテンツ一覧を公開側ＰＣ１００へ送信する。
【００４５】
ステップＳ１０３２
公開側ＰＣ１００は、入力装置１４０からの指示入力に基づいて、認証サーバ４００から受信したコンテンツ一覧より削除したいコンテンツデータを選択して指示する。
【００４６】
ステップＳ１０３３
公開側ＰＣ１００は、入力装置１４０からの指示入力に基づいて、選択されたコンテンツＩＤを認証サーバ４００へ送信する。
【００４７】
ステップＳ４０３３
削除するように選択されたコンテンツデータのコンテンツステータスを削除要求有りに設定する。
【００４８】
図６は、ダウンロード側ＰＣ２００がダウンロードしたコンテンツデータを復号する情報処理プログラムのフローチャートである。
【００４９】
ステップＳ２０４１
ダウンロード側ＰＣ２００は、操作者（コンテンツ利用者）により操作される入力装置２４０からの指示入力に基づいて、ダウンロードしたコンテンツデータの復号化処理を開始する。
【００５０】
ステップＳ２０４２
コンテンツデータを復号するための復号化キーを取得するために、復号したいコンテンツデータから著作者ＩＤを取得して認証サーバ４００に送信する。
【００５１】
ステップＳ４０４１
認証サーバ４００は、ダウンロード側ＰＣ２００から送信された著作者ＩＤを受信し、受信した著作者ＩＤを確認し、確認結果（正誤）をダウンロード側ＰＣ２００に返信する。
【００５２】
ステップＳ２０４３
ダウンロード側ＰＣ２００は、著作者ＩＤの確認結果（正）を受信すると、ダウンロードしたコンテンツデータより復号したいコンテンツデータのコンテンツＩＤを取得し、取得したコンテンツＩＤを認証サーバ４００に送信する。
【００５３】
ステップＳ４０４２
認証サーバ４００は、ダウンロード側ＰＣ２００から送信されたコンテンツＩＤを受信して確認する。
【００５４】
ステップＳ４０４３
当該コンテンツＩＤのコンテンツステータスを確認し、削除要求が設定されているときにはコンテンツ削除要求をダウンロード側ＰＣ２００に送信する。
【００５５】
ステップＳ４０４４
当該コンテンツＩＤのコンテンツステータスとして削除要求が設定されていないときには当該コンテンツデータの暗号を解除して復号するためのコンテンツ復号化キーをダウンロード側ＰＣ２００に送信する。
【００５６】
ステップＳ２０４４
ダウンロード側ＰＣ２００は、コンテンツ削除要求を受信すると、コンテンツ記憶部２２２に保持している復号したいコンテンツデータを削除する。
【００５７】
ステップＳ２０４５
ダウンロード側ＰＣ２００は、コンテンツ復号化キーを受信すると該コンテンツ復号化キーを使用してコンテンツ記憶部２２２に保持している復号したいコンテンツデータを復号する。
【図面の簡単な説明】
【００５８】
【図１】本発明の実施例１であるコンピュータネットワークシステムの全体構成を示すブロック図である。
【図２】著作者が公開側パーソナルコンピュータで編集（作成）したコンテンツ情報を認証サーバへ登録（公開）するときに該パーソナルコンピュータのＣＰＵと認証サーバのＣＰＵが実行する情報処理プログラムのフローチャートである。
【図３】コンテンツ利用者がダウンロード側パーソナルコンピュータを操作して公開側パーソナルコンピュータおよび他のダウンロード側コンピュータが保持している目的（希望する）のコンテンツデータをダウンロードするために検索する情報処理プログラムのフローチャートである。
【図４】ダウンロード側パーソナルコンピュータが検索コンテンツ一覧に基づいて該当コンテンツデータをダウンロードする情報処理プログラムのフローチャートである。
【図５】公開したコンテンツデータを削除（公開を終了）する情報処理プログラムのフローチャートである。
【図６】ダウンロード側パーソナルコンピュータがダウンロードしたコンテンツデータを復号する情報処理プログラムのフローチャートである。
【符号の説明】
【００５９】
１００…コンテンツ公開側パーソナルコンピュータ、１１０…中央演算装置，２１０…中央演算装置，３１０…中央演算装置，４１０…中央演算装置、
１２０…外部記憶装置，２２０…外部記憶装置，３２０…外部記憶装置，
４２０…外部記憶装置、１２２…コンテンツ記憶部，２２２…コンテンツ記憶部，３２２…コンテンツ記憶部、１２２ａ…著作者領域，１２２ｂ…著作者領域，２２２ａ…著作者領域，２２２ｂ…著作者領域，３２２ａ…著作者領域，３２２ｂ…著作者領域、１２２ａ１…自作コンテンツ記憶領域，２２２ａ１…自作コンテンツ記憶領域，３２２ａ１…自作コンテンツ記憶領域、１２２ｂ１…受信（ダウンロード）コンテンツ記憶領域，２２２ｂ１…受信（ダウンロード）コンテンツ記憶領域，３２２ｂ１…受信（ダウンロード）コンテンツ記憶領域、１３０…表示装置，２３０…表示装置，３３０…表示装置，４３０…表示装置、１４０…入力装置，２４０…入力装置，３４０…入力装置，４４０…入力装置、２００…ダウンロード側パーソナルコンピュータ，３００…ダウンロード側パーソナルコンピュータ、４００…認証サーバ、４２２ａ…著作者データ記憶領域，４２２ｂ…著作者データ記憶領域、５００…通信ネットワーク。
【図１】
2007025927.tif 000003
【図２】
2007025927.tif 000004
【図３】
2007025927.tif 000005
【図４】
2007025927.tif 000006
【図５】
2007025927.tif 000007
【図６】
2007025927.tif 000008